(57)【要約】【課題】アレルギー発生原因個所を的確に狙い洗浄できる形態、及び回転洗浄による高い異物除去能力により、鼻腔内に付着したアレルギー原因物質が確実に除去できるようにした鼻腔内洗浄具を提供する。【解決手段】鼻腔内洗浄具の柄２を円柱形状、ブラシ部１を円柱状の形態にすることによって、鼻腔内でブラシ部１を回転させて洗浄することを可能とした。ブラシ部１の先端部４はテーパー状になっており、このような形態によりアレルギー反応の原因個所である鼻腔内全域と鼻甲介の入り口を一度にまんべんなく洗浄可能にした。これにより、鼻腔内の一般洗浄は勿論、鼻腔内に粘着したアレルギー原因物質を洗浄、除去してアレルギー反応を直ちに収束させることができる。【選択図】図１
0003232109.tif 000002
【実用新案登録請求の範囲】
【請求項１】
ほぼ円柱形状の柄と、前記柄の先端部において外方へ放射状に伸びた多数のブラシ毛からなるほぼ円柱状の形態を有するブラシ部とを備えた鼻腔内洗浄具。
【請求項２】
前記ブラシ部は、円柱状の形態を有する基部と、前記基部に続くテーパー状に先細りする形態を有する先端部とを備える請求項１に記載の鼻腔内洗浄具。
【請求項３】
前記ブラシ部の先端部は凸状に湾曲している請求項２に記載の鼻腔内洗浄具。
【考案の詳細な説明】
【技術分野】
【０００１】  本考案は鼻腔内の洗浄に適した形態を有する鼻腔内洗浄具に関するものである。
【背景技術】
【０００２】  従来、花粉症の予防や治療方法としては、薬品の使用のほか、鼻の粘膜を焼く「レーザー治療」が知られている。【０００３】  特許文献１には、スポンジを柄軸の一端に固着した構造を有する「鼻洗用スポンジブラシ」が提案されている。【０００４】  特許文献２には、口腔又は鼻咽頭にロッドを差し込んで、口腔又は鼻咽頭の粘膜を容易にとることを目的とする「粘膜取り用ブラシ」が提案されている。【０００５】  また、鼻の奥深くに付着した花粉や雑菌を洗い流す目的で、いわゆる鼻うがい用の洗浄液が市販されている（非特許文献１）。
【先行技術文献】
【特許文献】
【０００６】
【特許文献１】実開平０１−０００９３９号公報
【特許文献２】実用新案登録第３１９３４１６号公報
【非特許文献】
【０００７】
【非特許文献１】ハナノア  Ｗｅｂホームページ  小林製薬株式会社  ｈｔｔｐｓ：／／ｗｗｗ．ｋｏｂａｙａｓｈｉ．ｃｏ．ｊｐ／ｓｅｉｈｉｎ／ｈｎａ／
【考案の概要】
【考案が解決しようとする課題】
【０００８】  上述したレーザー治療は高価であり、誰でも利用できるものではなく、普及しているとは言えない。【０００９】  特許文献１に提案された「鼻洗用スポンジブラシ」のスポンジは弾力性を有するものの腰が弱く、鼻腔内に牢固に粘着したアレルギー原因物質を取り除く用途には必ずしも適していない。更にはブラシに付着した汚物は洗っても汚れが残り勝ちで、衛生的ではなく、繰り返しの使用には適さなかった。一般的な綿棒についても同様の問題がある。【００１０】  特許文献２に記載の「粘膜取り用ブラシ」は、口腔内又は鼻腔内の粘膜を取得することを目的とするものであり、アレルギー原因物質を除去することを目的とするものではなく、適正なものではなかった。【００１１】  上述した鼻うがい用の洗浄液は、液体を鼻から入れて口から出すもので、人によっては使用上抵抗があり、万人に受け入れられるものではなかった。【００１２】  また、薬に対する不信感や抵抗感を持つ人は多く、薬に頼らずに花粉症やハウスダスト等のアレルギー性鼻炎を抑えることができれば好ましい。【００１３】  従って本考案は、アレルギー発生原因個所を的確に狙い洗浄できる形態、及び回転洗浄による高い異物除去能力により、鼻腔内に付着したアレルギー原因物質が確実に除去できるようにした鼻腔内洗浄具を提供するものである【００１４】  同時に通常の鼻腔内洗浄も時間的、労働的、機能的効率が低く課題であった。従って前記課題とともに、従来技術より一般洗浄能力が上回ることを課題とするものである。【００１５】  また、本考案は、鼻の内部を傷つけずに汚れを洗浄できることは勿論、多数のブラシ毛を擁したブラシ形態とすることによって、鼻腔内清掃具自体の清掃や衛生面での改善をも課題とするものである。
【課題を解決するための手段】
【００１６】  本考案者は、鼻腔内及び、鼻甲介の入口が原因個所となり、アレルギー反応が起こることを認識した。そして、原因個所に付着したアレルギー原因物質は粘膜に牢固にこびり付く習性があることを認識し、その除去困難な状況を腰のある円柱状の形態のブラシ部を用いて回転洗浄すれば、比較的容易にアレルギー原因物質の除去が可能となり、鼻水などのアレルギー反応が直ちに治まる事実を発見した。【００１７】  本考案による鼻腔内洗浄具は、ほぼ円柱形状の柄と、前記柄の先端部において外方へ放射状に伸びた多数のブラシ毛からなるほぼ円柱状の形態を有するブラシ部とを備えた構成を有する。このような構成により、柄は指先で回転させ易く、ブラシ部も鼻腔内での回転が容易となり、洗浄能力と作業効率が向上する。【００１８】  アレルギーが反応する原因部分を的確に洗浄できるブラシ部の形状とすることにより、鼻腔内に粘着したアレルギー原因物質の適切な除去が可能となる。それにより、鼻腔内に起因するアレルギー性鼻炎（くしゃみ、鼻水）からユーザを直ちに解放せしめる。【００１９】  ブラシ部をブラシ毛で形成することによって、水などで濯ぐだけでブラシ部に付着した粘着質の汚れが簡単にとれ、衛生的に繰り返し使用できる。【００２０】  ブラシ部の下部（基部）を円柱状にして鼻腔内全域を洗浄させ、先端部をテーパー状に先細りにして鼻甲介の入口を同時洗浄させることにより、本鼻腔内洗浄具は誰が操作しても容易に原因個所のアレルギー原因物質を除去することができる。【００２１】  従来、アレルギー性鼻炎を解消する為に鼻腔内をブラシで洗浄するという概念は世の中に存在しなかった。
【考案の効果】
【００２２】  本考案による鼻腔内洗浄具によれば、鼻腔内清掃能力と作業効率が向上し、アレルギー性鼻炎の反応状態（くしゃみ、鼻水）からユーザを直ちに解放せしめることができる。また、鼻腔内洗浄具の衛生面の向上が図れる。
【図面の簡単な説明】
【００２３】
【図１】本考案の実施形態による鼻腔内洗浄具全体の形状を表す正面図である。
【図２】本鼻腔内洗浄具の斜視図である。
【図３】本鼻腔内洗浄具をその先端側から見た側面図である。
【図４】本鼻腔内洗浄具のブラシ部の概略の縦断面形状を示す断面図である。
【考案を実施するための形態】
【００２４】  以下、本考案の好適な実施形態について詳細に説明する。
【００２５】    本実施形態の鼻腔内洗浄具は、ほぼ円柱形状の柄と、柄の先端部において外方へ放射状に伸びた多数のブラシ毛からなるほぼ円柱状の形態を有するブラシ部とを備えて構成される。
【００２６】  ブラシ部を形成する各ブラシ毛は、外力を受けてその先端がたわみ、外力が除去されたとき元の位置に復元するような弾力性を呈する材質、太さ、および形状とする。
【００２７】  好ましくは、前記ブラシ部は円柱状の形態を有する基部と、前記基部に続くテーパー状に先細りする形態を有する先端部とを備える。
【００２８】  鼻腔内洗浄具の先端の毛軸にナイロンや飽和ポリエステル樹脂などの材料で形成された多数のブラシ毛を密集して放射状に配することで水分を多く含有可能となる。また、円柱状の柄を中心軸としてより大径の円柱状にブラシ部が設けられることによって、鼻腔内に挿入したブラシ部による回転洗浄が可能となる。このような構成により、洗浄時間の短縮を図ると共に洗浄能力を向上させることができる。
【００２９】  加えて、鼻腔内洗浄具の柄を円柱状とするとともに、ブラシ部の形態を円柱状とすることによって指先操作での鼻腔内回転が可能となる。ブラシ部の下部は放射状に長毛を配し円柱状の形態にすることによって鼻腔内全域の洗浄を可能とするとともに、ブラシ部の先端部分はテーパー状に先細りの形状とすることによって鼻甲介の入口を同時洗浄可能となる。このような構成により、洗浄時間の短縮を図ると共に洗浄能力を向上させることができる。またこれによって鼻腔内全体のアレルギー原因物質の除去を効率的かつ効果的に行うことが可能となる。
【００３０】  ブラシ部の縦断面のテーパー状の傾斜部は直線状であっても曲線状（凸状）であってもよい。曲線状の場合は例えば、先端部が半球状または半楕円球状など、凸状に湾曲していてもよい。
【００３１】  さらに、鼻腔内洗浄具のブラシ部を、スポンジや綿でなく、ブラシ毛で形成することによってブラシ部に付着した汚れを濯ぎ落とし易くなる。例えば、水道水で簡単に洗い流すことが可能となる。また、ブラシ毛をナイロンや飽和ポリエステル樹脂等にすることにより、肌に優しく、ブラシ毛自体に汚れが付き難い。肌への当たりを和らげるために、ブラシ毛の先端は半球状ないし曲面状に形成してもよい。
【実施例１】
【００３２】  以下、添付図面に従って実施例を説明する。
図１および図２に示すように、鼻腔内洗浄具は、ほぼ円柱形状の柄２と、この柄２の先端部において外方へ放射状に伸びた多数のブラシ毛からなるほぼ円柱状の形態（外縁形状）を有するブラシ部１とを備える。ブラシ部１は、ナイロンや飽和ポリエステル樹脂など適宜素材の多数のブラシ毛６を中心から外方へ放射状に配したもので（図３参照）、ブラシ部１の下部５が円柱状、先端部４が先細りしたテーパー状の形態を有し、毛軸（ブラシ軸）３に固定されている。毛軸３は柄２に連続的につながって（または固定されて）おり、ユーザが柄２を指先で回転させることによってブラシ部１と一体となって回転する。ブラシ軸３は柄２より細くなっており、鼻腔内へのブラシ部１の挿入により難なく鼻甲介の入り口に進入するようになっている。ブラシ柄２はポリプロピレン製など適宜素材の円柱状で指先での回転操作を容易にする。ブラシ柄２は、基本形状が円柱状であれば足り、表面に、梨地、凹凸、横溝、縦溝、らせん状溝などの付加的な形状を有してもよい。【００３３】  ブラシ部１のテーパー状の形態として、その縦断面図の先端部４の外縁形状は図４（ａ）に示すような直線状であってもよいし、図４（ｂ）に示すような外側に凸状に湾曲した曲線状であってもよい。先端部４と基部５の軸方向の長さの比ａ：ｂは図示のものに限らず、対象ユーザによって当該比が異なる型式を用意してもよい。ブラシ部１のサイズ（直径）についても同様である。【００３４】  本実施例の鼻腔内洗浄具の使用時、ユーザは鼻腔内洗浄具の柄２を持ち、ブラシ部１に十分な水分を含ませ、鼻内に挿入する。ブラシ部１は鼻の奥まで挿入すれば、アレルギー発生原因個所にピタリと嵌って止まる。挿入した鼻腔内洗浄具の柄２を指先で回転させると、固定されたブラシ毛に含有させた水とともに異物が鼻の内壁から掻き落とされ、毛がアレルギー原因物質や汚れを絡めとる。この際、ブラシ部１の形態により鼻腔内全域及び鼻甲介の入口までが一度に同時洗浄される。次いで、ブラシ部１に付着した汚物を水で洗い流す。その後、何度か同じ所作を繰り返すと鼻腔内に付着したアレルギー原因物質や汚物は完全に除去できる。原因個所の原因物質がなくなることにより、アレルギー反応はピタリと治まる。当然ながら一般的な鼻腔内洗浄も従来技術以上にできる。【００３５】  また、ブラシ部１のサイズを変えることによって動物のアレルギー性鼻炎や鼻詰まりによる鼻腔内洗浄も可能となる。
【産業上の利用可能性】
【００３６】  本考案は、鼻腔内の清掃及びアレルギー解消用の鼻腔洗浄具として人間は勿論、動物用まで適用することができる。
【符号の説明】
【００３７】１  ブラシ部
２  柄
３  毛軸
４  ブラシ部の先端部
５  ブラシ部の下部（基部）
６  ブラシ毛
【図１】
0003232109.tif 000003
【図２】
0003232109.tif 000004
【図３】
0003232109.tif 000005
【図４】
0003232109.tif 000006